(57)【要約】【課題】検査対象レンズの汚れ、キズ等を見つけやすくできるとともに、明視野検査及び暗視野検査を簡単な構成によって行うことができるレンズチェッカーを提供すること。【解決手段】レンズチェッカー１は、中央発光源２Ａから発光されて中央導光体３Ａ及び中央シート４Ａを透過する光Ｘ１によって明視野検査を行うための明視野モードと、外周発光源２Ｂから発光されて外周導光体３Ｂ及び外周シート４Ｂを透過する光Ｘ２によって暗視野検査を行うための暗視野モードとに切替え可能である。中央シート４Ａは、第１模様部４１１及び第１模様部４１１よりも光Ｘ１を透過させにくい色相の第２模様部４１２によるチェック模様を有する第１シート４１と、第１シート４１に積層され、第１模様部４１１よりも光Ｘ１を透過させにくい色相の第２シート４２とからなる。【選択図】図３
2017167013.tif 000002
【特許請求の範囲】
【請求項１】
中央発光源と、
該中央発光源に対向して配置された中央導光体と、
該中央導光体に対向して配置された中央シートと、
上記中央発光源の周りの複数個所に配置された外周発光源と、
該外周発光源に対向して配置された外周導光体と、
該外周導光体に対向して配置された外周シートと、
上記中央発光源が点灯するとともに上記外周発光源が消灯し、上記中央発光源から発光されて上記中央導光体及び上記中央シートを透過する光によって明視野検査を行うための明視野モードと、上記外周発光源が点灯するとともに上記中央発光源が消灯し、上記外周発光源から発光されて上記外周導光体及び上記外周シートを透過する光によって暗視野検査を行うための暗視野モードとに切替え可能な切替スイッチと、を備え、
上記中央シートは、第１模様部及び該第１模様部よりも光を透過させにくい色相の第２模様部によるチェック模様を有する第１シートと、該第１シートに積層され、上記第１模様部よりも光を透過させにくい色相の第２シートとからなる、レンズチェッカー。
【請求項２】
上記第２模様部及び上記第２シートは、黒色系の色相を有する、請求項１に記載のレンズチェッカー。
【請求項３】
上記第１模様部は、黄色系の色相を有する、請求項１又は２に記載のレンズチェッカー。
【請求項４】
上記中央発光源は、暖色系の発光源である、請求項１〜３のいずれか一項に記載のレンズチェッカー。
【請求項５】
上記第１シート及び上記第２シートは、互いに密着されているとともに上記中央導光体に密着されており、
上記外周シートは、上記外周導光体に密着されている、請求項１〜４のいずれか一項に記載のレンズチェッカー。
【発明の詳細な説明】
【技術分野】
【０００１】
本発明は、レンズの汚れ、キズ等を確認するためのレンズチェッカーに関する。
【背景技術】
【０００２】
コンタクトレンズに汚れ、キズ等がないかの外観検査を行う際には、発光ダイオード等による光をコンタクトレンズに照射するレンズチェッカーが用いられる。レンズチェッカーにおいては、コンタクトレンズに正面から光を照射して、コンタクトレンズが背景よりも暗くなった様子を観察する明視野検査と、コンタクトレンズに斜めから光を照射して、コンタクトレンズが背景よりも明るくなった様子を観察する暗視野検査とを行うことができる。
【０００３】
例えば、特許文献１の外観検査用照明装置においては、照明光を拡散してコンタクトレンズに照射することにより、コンタクトレンズが一様な明るさで照射され、照度むらが抑制されるようにしている。また、明視野用の発光ダイオードの前には明視野用拡散板を配置し、暗視野用の発光ダイオードの前には暗視野用拡散板を配置している。また、明視野用拡散板の上には、格子状等の模様が描かれた模様シートを設けており、これによって明視野検査を行う際にコンタクトレンズの輪郭が見えやすくしている。また、暗視野検査を行う際には、明視野用拡散板を、黒色塗料が塗布されたシャッタ板によって遮り、コンタクトレンズの背景が暗くなるようにしている。
【先行技術文献】
【特許文献】
【０００４】
【特許文献１】特開２００７−７８５８１号公報
【発明の概要】
【発明が解決しようとする課題】
【０００５】
しかしながら、特許文献１の外観検査用照明装置において、暗視野検査を行う際には、明視野拡散板をシャッタ板によって遮り、明視野検査を行う際には、明視野拡散板からシャッタ板を退避させる。そのため、明視野検査と暗視野検査とを切り換える際には、常にシャッタ板を移動させる動作が必要になる。また、シャッタ板を移動可能にする構成が複雑である。
【０００６】
本発明は、かかる課題に鑑みてなされたもので、検査対象レンズの汚れ、キズ等を見つけやすくすることができるとともに、明視野検査及び暗視野検査を簡単な構成によって行うことができるレンズチェッカーを提供しようとして得られたものである。
【課題を解決するための手段】
【０００７】
本発明の一態様は、中央発光源と、
該中央発光源に対向して配置された中央導光体と、
該中央導光体に対向して配置された中央シートと、
上記中央発光源の周りの複数個所に配置された外周発光源と、
該外周発光源に対向して配置された外周導光体と、
該外周導光体に対向して配置された外周シートと、
上記中央発光源が点灯するとともに上記外周発光源が消灯し、上記中央発光源から発光されて上記中央導光体及び上記中央シートを透過する光によって明視野検査を行うための明視野モードと、上記外周発光源が点灯するとともに上記中央発光源が消灯し、上記外周発光源から発光されて上記外周導光体及び上記外周シートを透過する光によって暗視野検査を行うための暗視野モードとに切替え可能な切替スイッチと、を備え、
上記中央シートは、第１模様部及び該第１模様部よりも光を透過させにくい色相の第２模様部によるチェック模様を有する第１シートと、該第１シートに積層され、上記第１模様部よりも光を透過させにくい色相の第２シートとからなる、レンズチェッカーにある。
【発明の効果】
【０００８】
上記レンズチェッカーにおいては、明視野検査を行う際に中央発光源による光を透過させる中央シートの構造に工夫をしている。
具体的には、中央シートは、チェック模様を有する第１シートと第２シートとが積層された２層構造を有する。そして、第２シートは、第１シートの第２模様部と同様に、第１シートの第１模様部よりも光を透過させにくい色相を有している。これにより、暗視野検査を行う際には、特に、第２模様部よりも光を透過させやすい色相の第１模様部に、第２シートが重なっていることにより、コンタクトレンズ等の検査対象レンズの背景を容易に暗くすることができる。そのため、暗視野検査を容易に行うことができ、検査対象レンズのキズ等の有無を見つけやすくすることができる。
【０００９】
一方、明視野検査を行う際には、中央発光源による光は、第１シートの第２模様部と第２シートとが重なる部位に比べて、第１シートの第１模様部と第２シートとが重なる部位を透過しやすい。そして、中央シートにおいては、第１模様部を透過する光と、第２模様部を透過する光とによるチェック模様のコントラスト（輝度の差）が形成される。これにより、中央シートを透過する中央発光源の光によって、明視野検査を容易に行うことができ、検査対象レンズの汚れ等の有無を見つけやすくすることができる。
【００１０】
また、明視野検査と暗視野検査との切替えを行う際には、切替スイッチによって、中央発光源と外周発光源との点灯及び消灯の切替えを行えばよく、シャッタ板等を移動させる必要はない。そのため、明視野検査及び暗視野検査を簡単な構成によって行うことができる。
それ故、上記レンズチェッカーによれば、検査対象レンズの汚れ、キズ等を見つけやすくすることができるとともに、明視野検査及び暗視野検査を簡単な構成によって行うことができる。
【図面の簡単な説明】
【００１１】
【図１】レンズチェッカーを示す斜視図。
【図２】レンズチェッカー内の部品の配置を示す説明図。
【図３】レンズチェッカーの断面を示す説明図。
【発明を実施するための形態】
【００１２】
上述したレンズチェッカーにかかる好ましい実施形態について、図面を参照して説明する。
本形態のレンズチェッカー１は、図１〜図３に示すように、中央発光源２Ａと、中央発光源２Ａに対向して配置された中央導光体３Ａと、中央導光体３Ａに対面して配置された中央シート４Ａと、中央発光源２Ａの周りの複数個所に配置された外周発光源２Ｂと、外周発光源２Ｂに対向して配置された外周導光体３Ｂと、外周導光体３Ｂに対面して配置された外周シート４Ｂと、切替スイッチ５１とを備える。切替スイッチ５１は、レンズチェッカー１を明視野モードと暗視野モードとに切替え可能である。
【００１３】
明視野モードは、中央発光源２Ａが点灯するとともに外周発光源２Ｂが消灯し、中央発光源２Ａから発光されて中央導光体３Ａ及び中央シート４Ａを透過する光Ｘ１によって明視野検査を行うためのモードである。暗視野モードは、外周発光源２Ｂが点灯するとともに中央発光源２Ａが消灯し、外周発光源２Ｂから発光されて外周導光体３Ｂ及び外周シート４Ｂを透過する光Ｘ２によって暗視野検査を行うためのモードである。
図２、図３に示すように、中央シート４Ａは、第１模様部４１１及び第１模様部４１１よりも光Ｘ１を透過させにくい色相の第２模様部４１２によるチェック模様を有する第１シート４１と、第１シート４１に積層され、第１模様部４１１よりも光Ｘ１を透過させにくい色相の第２シート４２とからなる。
【００１４】
以下、本形態のレンズチェッカー１について詳説する。
図１に示すように、レンズチェッカー１は、コンタクトレンズ８に汚れ、キズ等がないかを検査するために用いられる。なお、レンズチェッカー１は、眼鏡レンズ、玉レンズ等に汚れ、キズ等がないかを検査するために用いることもできる。
【００１５】
図３に示すように、中央発光源２Ａは、表面実装型の発光ダイオードによって構成されている。中央発光源２Ａは、ケース１１内に配置された基板１２に１つ取り付けられている。基板１２は、ケース１１内の下方位置において、上方に表面（板面）を向けて配置されており、中央発光源２Ａは、上方に向けて光Ｘ１を出射するよう構成されている。中央導光体３Ａは、中央発光源２Ａが中心に位置する状態で中央発光源２Ａに対向している。中央導光体３Ａは、中央発光源２Ａから出射される光Ｘ１がコンタクトレンズ８の全体に照射されるよう、光Ｘ１を外周側の全周へ拡大させるよう構成されている。中央導光体３Ａにおける、中央発光源２Ａに対向する裏面には、光Ｘ１を外周側の全周へ拡大させるための凹状面３１が形成されている。
【００１６】
図２、図３に示すように、外周発光源２Ｂは、砲弾型の発光ダイオードによって構成されている。外周発光源２Ｂは、基板１２に対向する保持板１３、及び外周導光体３Ｂから延設された部分３４によって保持されている。外周発光源２Ｂは、中央発光源２Ａの水平方向の周りに複数（本形態では３つ）配置されており、中央発光源２Ａが設けられた中心部に向けた水平方向に光Ｘ２を出射するよう構成されている。外周導光体３Ｂは、円環形状の円環部３２を有している。中央導光体３Ａは、外周導光体３Ｂの中心部に配置されている。本形態の中央導光体３Ａと外周導光体３Ｂとは透明な樹脂によって一体成形されている。
【００１７】
外周導光体３Ｂの外周における、外周発光源２Ｂが配置される各部位には、外周側へ突出する突出部３３が形成されている。各外周発光源２Ｂから出射される光Ｘ２は、各突出部３３を経由して円環部３２に導かれ、各突出部３３及び円環部３２から、コンタクトレンズ８の外周付近に出射される。なお、外周発光源２Ｂは、基板１２における、中央導光体３Ａの配置箇所の周りの複数個所に配置されていてもよい。この場合、外周発光源２Ｂの上側に配置する外周導光体３Ｂの上下方向の厚みはできるだけ薄くすることが好ましい。
中央発光源２Ａ及び外周発光源２Ｂは、いずれも白色の発光ダイオードによって構成されている。
【００１８】
図３に示すように、第１シート４１及び第２シート４２からなる中央シート４Ａは、中央導光体３Ａの表面に接着剤によって貼り付けられており、中央導光体３Ａの表面に密着している。第１シート４１と第２シート４２とは、接着剤によって積層されており、互いに密着している。外周シート４Ｂは、外周導光体３Ｂの表面に接着剤によって貼り付けられており、外周導光体３Ｂの表面に密着している。
【００１９】
図２、図３に示すように、中央発光源２Ａ、中央導光体３Ａ、外周発光源２Ｂ及び外周導光体３Ｂは、ケース１１内に収容されている。中央導光体３Ａに密着する中央シート４Ａ、及び外周導光体３Ｂに密着する外周シート４Ｂは、ケース１１の上面に位置している。また、ケース１１の上方には、コンタクトレンズ８を検査する状態を撮影するためのカメラ１４が設けられている。なお、図２は、中央発光源２Ａ、中央導光体３Ａ、外周発光源２Ｂ、外周導光体３Ｂ等の配置状態を示す。
【００２０】
第１シート４１の第１模様部４１１及び外周シート４Ｂは、黄色系の色相を有する。ここで、黄色系の色相には、黄色だけでなく、橙色、茶色等の暖色系の色相も含むものとする。第１シート４１の第２模様部４１２及び第２シート４２は、黒色系の色相を有する。ここで、黒色系の色相には、黒色だけでなく、黒色に近い灰色、黒色に近い茶色等の色相も含むものとする。
また、第１シート４１、第２シート４２及び外周シート４Ｂは、いずれも光を拡散させる性質を有する拡散シートとして形成されている。
【００２１】
第２シートの厚みは、光を透過させることが可能な厚みに設定する。第１シート４１の厚み及び第２シート４２の厚みは、それぞれ０．０５〜１ｍｍの範囲内で設定することができる。
第１シート４１と第２シート４２とは、どちらを表面側（中央導光体３Ａと反対側）に配置してもよい。
【００２２】
第１シート４１と第２シート４２とが重なった中央シート４Ａにおいて、第１シート４１の第１模様部４１１及び第２模様部４１２によるチェック模様は、中央シート４Ａに光Ｘ１が照射されない状態においてはほとんど視認されず、中央シート４Ａに光Ｘ１が照射された状態において視認される。すなわち、第２シート４２の黒色系の色相が、第１シート４１の第１模様部４１１の黄色系の色相に重なっていることにより、中央シート４Ａに光Ｘ１が照射されない状態においては、第１模様部４１１の黄色系の色相が第２シート４２の黒色系の色相によって隠される。そして、中央シート４Ａに光Ｘ１が照射されない状態においては、中央シート４Ａの表面は、第２シート４２の黒色系の色相によって、黒色系の色相として視認される。
【００２３】
また、第２シート４２が黒色系の色相を有していても、第２シート４２が光Ｘ１を透過させる厚みに形成されていることにより、中央シート４Ａに光Ｘ１が照射される状態においては、第１シート４１の第１模様部４１１及び第２模様部４１２によるチェック模様を視認することができる。そして、中央シート４Ａに光Ｘ１が照射される状態においては、中央シート４Ａのチェック模様における第１模様部４１１を透過する光Ｘ１と、第２模様部４１２を透過する光Ｘ１とのコントラスト（輝度の差）が形成される。
【００２４】
なお、第１シート４１の第１模様部４１１及び外周シート４Ｂは、透明もしくは半透明、又は白色系の色相とすることもできる。この場合、中央発光源２Ａには、暖色系の発光源を用いることができる。暖色系の発光源には、黄色、橙色等の発光源を含むものとする。
【００２５】
図１、図２に示すように、ケース１１の外側部位には、明視野モードと暗視野モードとの切替えを行うための切替スイッチ５１の他に、レンズチェッカー１のオン・オフを行うための電源スイッチ５２と、中央発光源２Ａ及び外周発光源２Ｂの光量の調整を行うための光量ボリューム５３とが設けられている。光量ボリューム５３は、レンズチェッカー１が明視野モードにあるときには、中央発光源２Ａの光量の調整が可能であり、レンズチェッカー１が暗視野モードにあるときには、外周発光源２Ｂの光量の調整が可能である。
【００２６】
図１、図３に示すように、ケース１１の上面には、コンタクトレンズ８を載置するための載置アーム６が設けられている。載置アーム６の先端部には、コンタクトレンズ８が載置される載置部６１が設けられている。載置部６１は、円環形状に形成されており、コンタクトレンズ８の外縁部を受け止めるよう構成されている。載置アーム６は、載置部６１を、中央シート４Ａの中心の上方位置と、中央シート４Ａの中心の上方位置から退避させた位置とに移動させるよう水平方向に回動可能である。また、載置部６１に載置されたコンタクトレンズ８にカメラ１４の焦点を合わせるために、カメラ１４の外周に設けられたノブ１４１を回転させることにより、カメラ１４内の対物レンズを上下方向に移動させることが可能である。
【００２７】
次に、レンズチェッカー１を用いた暗視野検査及び明視野検査、並びに作用効果について説明する。
暗視野検査を行うに当たっては、作業者は、切替スイッチ５１を操作して、レンズチェッカー１を暗視野モードにする。このとき、複数の外周発光源２Ｂが点灯するとともに中央発光源２Ａが消灯する。そして、複数の外周発光源２Ｂから出射された光Ｘ２は、外周導光体３Ｂ及び外周シート４Ｂを透過して、載置アーム６の載置部６１に載置されたコンタクトレンズ８に斜め下方から照射される。このとき、中央シート４Ａには光Ｘ１が照射されておらず、第２シート４２の黒色系の色相が、第１シート４１の第１模様部４１１の黄色系の色相に重なっていることにより、コンタクトレンズ８の背景を、黒色系の背景にして、容易に暗くすることができる。これにより、暗視野検査を容易に行うことができ、コンタクトレンズ８のキズ等の有無を見つけやすくすることができる。
【００２８】
明視野検査を行うに当たっては、作業者は、切替スイッチ５１を操作して、レンズチェッカー１を明視野モードにする。このとき、中央発光源２Ａが点灯するとともに複数の外周発光源２Ｂが消灯する。そして、中央発光源２Ａから出射された光Ｘ１は、中央導光体３Ａ、並びに中央シート４Ａの第１シート４１及び第２シート４２を透過して、載置アーム６の載置部６１に載置されたコンタクトレンズ８に下方から照射される。このとき、中央シート４Ａに照射される光Ｘ１は、第１シート４１の第２模様部４１２と第２シート４２とが重なる部位に比べて、第１シート４１の第１模様部４１１と第２シート４２とが重なる部位を透過しやすい。そして、中央シート４Ａにおいては、第１模様部４１１を透過する光Ｘ１と、第２模様部４１２を透過する光Ｘ１とによるチェック模様のコントラスト（輝度の差）が形成される。これにより、中央シート４Ａを透過する中央発光源２Ａの光Ｘ１によって、明視野検査を容易に行うことができ、検査対象レンズの汚れ等の有無を見つけやすくすることができる。
【００２９】
また、明視野検査と暗視野検査との切替えを行う際には、切替スイッチ５１によって、中央発光源２Ａと複数の外周発光源２Ｂとの点灯及び消灯の切替えを行えばよく、シャッタ板等を移動させる必要はない。そのため、明視野検査及び暗視野検査を簡単な構成によって行うことができる。
【００３０】
それ故、本形態のレンズチェッカー１によれば、検査対象レンズの汚れ、キズ等を見つけやすくすることができるとともに、明視野検査及び暗視野検査を簡単な構成によって行うことができる。
なお、本発明は、上記実施形態のみに限定されるものではなく、その要旨を逸脱しない範囲においてさらに異なる実施形態を構成することが可能である。
【符号の説明】
【００３１】
１  レンズチェッカー
２Ａ  中央発光源
２Ｂ  外周発光源
３Ａ  中央導光体
３Ｂ  外周導光体
４Ａ  中央シート
４Ｂ  外周シート
４１  第１シート
４１１  第１模様部
４１２  第２模様部
４２  第２シート
５１  切替スイッチ
８  コンタクトレンズ
【図１】
2017167013.tif 000003
【図２】
2017167013.tif 000004
【図３】
2017167013.tif 000005